(57)【要約】【課題】  ヘッドセットの着脱が容易なハンズフリー装置を提供する。【解決手段】  携帯電話５０と無線通信が可能なヘッドセット１０−１〜１０−４と、該各ヘッドセットを収容可能なクレードル２０とでハンズフリー装置を構成する。このハンズフリー装置では、携帯電話５０とヘッドセット１０とが無線コネクション６０で接続されるため、携帯電話５０をカバンやポケットに入れたままの状態で、ヘッドセット１０を耳に装着した状態でのハンズフリー通話と、クレードル２０に設置した状態でのハンズフリー通話の両シーンが選択できる。また、ヘッドセット１０−１〜１０−４は、長尺状に形成されるため、クレードルへの複数収納が省スペースで可能になるとともに、運転中であってもヘッドセットを素早く装着することができる。【選択図】  図１
2006121403.tif 000002
【特許請求の範囲】
【請求項１】
通話源との無線通信が可能なヘッドセット部と、該ヘッドセット部に設けられたクリップ部とを備えたハンズフリー装置であって、
前記ヘッドセット部は、
スピーカとマイクとを備え、
前記クリップ部は、
長尺状で平坦な形状を有する少なくとも２つの挟持用部材で構成されたことを特徴とするハンズフリー装置。
【請求項２】
通話源との無線通信が可能なヘッドセット部と、該ヘッドセット部に設けられたクリップ部とを備えたハンズフリー装置であって、
前記ヘッドセット部は、
スピーカとマイクとを備え、
前記クリップ部は、
開閉可能な少なくとも２つの挟持用部材で構成され、
前記クリップ部の開閉動作に応じて前記ヘッドセット部の起動および停止が制御されることを特徴とするハンズフリー装置。
【請求項３】
通話源との無線通信が可能なヘッドセット部と、該ヘッドセット部に設けられたクリップ部とを備えたハンズフリー装置であって、
前記ヘッドセット部は、
スピーカとマイクとを備え、
前記クリップ部は、
開閉可能な少なくとも２つの挟持用部材で構成され、
前記ヘッドセット部の電源がＯＦＦの状態で前記クリップ部を開いたときに前記ヘッドセット部の電源をＯＮに制御し、前記ヘッドセット部の電源がＯＮの状態で前記クリップ部を開いたときに前記ヘッドセット部の電源をＯＦＦに制御することを特徴とするハンズフリー装置。
【請求項４】
通話源との無線通信が可能なヘッドセットと、該ヘッドセットに接続可能なクレードルとを備えたハンズフリー装置であって、
前記ヘッドセットは、
スピーカおよびマイクを備えるとともに長尺形状で形成され、
前記クレードルは、
前記ヘッドセットを長手方向に起立した状態で収容可能な収容部を複数備えたことを特徴とするハンズフリー装置。
【請求項５】
通話源との無線通信が可能なヘッドセットと、該ヘッドセットに接続可能なクレードルとを備えたハンズフリー装置であって、
前記ヘッドセットは、
スピーカとマイクとクリップ部と前記クレードルに対する接続部とを備えるとともに長尺形状で形成され、
前記クレードルは、
前記ヘッドセットを長手方向に起立した状態で収容するとともに該ヘッドセットに対する接続部が設けられた収容部を備えたことを特徴とするハンズフリー装置。
【請求項６】
通話源との無線通信が可能なヘッドセットと、該ヘッドセットに接続可能なクレードルとを備えたハンズフリー装置であって、
前記ヘッドセットは、
スピーカおよびマイクを備えるとともに長尺形状で形成され、
前記クレードルは、
スピーカおよびマイクと、
前記ヘッドセットを長手方向に起立した状態で収容可能な収容部と
を備えたことを特徴とするハンズフリー装置。
【発明の詳細な説明】
【技術分野】
【０００１】
この発明は、ハンズフリー装置に関し、特に、ヘッドセット型と卓上型のハンズフリー通話を適宜選択可能なハンズフリー装置に関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【０００４】
また、使用者の着衣の任意の位置に取付可能な情報通信装置としては、下記の文献に記載されたものが知られている。
【特許文献３】特開２００２−１３５３６７号公報  この特許文献３には、ブルートゥースの通信機能を利用して、携帯電話の着信をユーザに知らせる携帯型の情報通信装置が示されている。
【発明の開示】
【発明が解決しようとする課題】
【０００５】
しかし、上記特許文献１の構成では、ハンズフリー通話を行うために、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００６】
また、上記特許文献２の構成では、通話源との接続が有線になるため煩わしさが残り、上記特許文献１と同様に、携帯電話をカバンやポケットに入れたままの通話はできなかった。
【０００７】
また、上記特許文献３の情報情報通信装置では、携帯電話の着信を知ることはできても、通話機能までは備えていないため、ハンズフリー通話を想定した使用は困難である。
【０００８】
また、最近では、携帯電話とヘッドセットの無線通信を可能としたハンズフリー構成も知られているが、この構成では、ヘッドセットを常に耳に装着する必要があり、室内や車内では煩わしさが残る。この課題を解決するために、特許文献１に示された構成を取る場合には、携帯電話をカバンやポケットから取り出す必要がある。
【０００９】
そこで、本発明は、携帯電話等の通話源をスピーカ付充電器等の特定の機器にセットすることなく、ヘッドセットによるハンズフリー通話を可能としたハンズフリー装置を提供する。
【課題を解決するための手段】
【００１０】
上記目的を達成するため、請求項１記載の発明は、通話源との無線通信が可能なヘッドセット部と、該ヘッドセット部に設けられたクリップ部とを備えたハンズフリー装置であって、前記ヘッドセット部は、スピーカとマイクとを備え、前記クリップ部は、長尺状で平坦な形状を有する少なくとも２つの挟持用部材で構成されたことを特徴とする。
【００１１】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器が含まれる。
【００１２】
これらの通話源とヘッドセットには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１３】
上記のように、長尺状で平坦な形状を有するクリップ部を設けることで、使用者の髪や着衣の襟またはポケット等への自在な取り付けが可能になるとともに、該各箇所へ取り付けたときの安定性が向上するため、長時間の快適なハンズフリー通話が可能になる。
【００１４】
また、２つの挟持用部材で構成されたクリップ部を備えることで、ワンハンドでの装着が可能になるため、運転中の素早い装着に適したヘッドセットを提供することができる。
【００１５】
長尺状で平坦な形状を有する少なくとも２つの挟持用部材で構成されたクリップ部としては、ヘアクリップのような構造が望ましく、髪への装着を想定する場合には、やや湾曲を持たせておくことが望ましい。
【００１６】
また、請求項２記載の発明は、通話源との無線通信が可能なヘッドセット部と、該ヘッドセット部に設けられたクリップ部とを備えたハンズフリー装置であって、前記ヘッドセット部は、スピーカとマイクとを備え、前記クリップ部は、開閉可能な少なくとも２つの挟持用部材で構成され、前記クリップ部の開閉動作に応じて前記ヘッドセット部の起動および停止が制御されることを特徴とする。
【００１７】
このように、クリップ部の開閉に応じてヘッドセットの起動と停止を制御することで、使用者への着脱動作と同時にヘッドセットの電源制御が可能になるため、ワンアクションでの通話開始が可能になる。この構成は、運転中のように素早いヘッドセットの着脱が求められるシーンで特に有効である。
【００１８】
また、請求項３記載の発明は、通話源との無線通信が可能なヘッドセット部と、該ヘッドセット部に設けられたクリップ部とを備えたハンズフリー装置であって、前記ヘッドセット部は、スピーカとマイクとを備え、前記クリップ部は、開閉可能な少なくとも２つの挟持用部材で構成され、前記ヘッドセット部の電源がＯＦＦの状態で前記クリップ部を開いたときに前記ヘッドセット部の電源をＯＮに制御し、前記ヘッドセット部の電源がＯＮの状態で前記クリップ部を開いたときに前記ヘッドセット部の電源をＯＦＦに制御することを特徴とする。
【００１９】
上記のように、クリップ部の開閉に応じてヘッドセット部の電源をＯＮ／ＯＦＦすることで、装着時には自動的に電源がＯＮとなり、取り外し時には自動的に電源がＯＦＦとなるヘッドセットを提供することができる。
【００２０】
また、請求項４記載の発明は、通話源との無線通信が可能なヘッドセットと、該ヘッドセットに接続可能なクレードルとを備えたハンズフリー装置であって、前記ヘッドセットは、スピーカおよびマイクを備えるとともに長尺形状で形成され、前記クレードルは、前記ヘッドセットを長手方向に起立した状態で収容可能な収容部を複数備えたことを特徴とする。
【００２１】
上記のように、ヘッドセットを長手方向に起立した状態で収容可能なクレードルを設けることで、省スペースで複数のヘッドセットを収容することが可能になる。このような構成により、使用中のヘッドセットのバッテリが切れた場合であっても、替わりのヘッドセットをクレードルから取り出すことで、ヘッドセットによる通話を継続することができる。
【００２２】
この場合は、新たなヘッドセット側をユーザが操作することで、携帯電話との無線リンクをバッテリが切れたヘッドセットから新たなヘッドセットに切り替える構成としても良く、また、バッテリが切れたときに携帯電話側から自動的に別のヘッドセットに対する無線リンクを確立させる構成としても良い。
【００２３】
このような予備充電構成により、ヘッドセット側のバッテリ容量も少なく設計することが可能になるため、ヘッドセットの小型・軽量化を支える手段として有用である。
【００２４】
尚、長尺形状のヘッドセットは、ペンのような筒型構造であっても、ヘアクリップのような平坦な構造であっても良い。
【００２５】
また、請求項５記載の発明は、通話源との無線通信が可能なヘッドセットと、該ヘッドセットに接続可能なクレードルとを備えたハンズフリー装置であって、前記ヘッドセットは、スピーカとマイクとクリップ部と前記クレードルに対する接続部とを備えるとともに長尺形状で形成され、前記クレードルは、前記ヘッドセットを長手方向に起立した状態で収容するとともに該ヘッドセットに対する接続部が設けられた収容部を備えたことを特徴とする。
【００２６】
このように、クリップを備えた長尺状のヘッドセットをクレードルに収容接続する構成とすることで、クレードルに収容した時には充電が開始され、クレードルから取り出した時には、クリップによる容易な着脱が可能なヘッドセットを提供することができる。
【００２７】
即ち、本構成は、運転中のように素早いヘッドセットの着脱が要求されるシーンにおいて、ヘッドセットの充電と着脱の繰り返しを可能な限り素早く行える構成とすることで、小容量のバッテリでも通話が可能な軽量ヘッドセットによる快適な装着感を確保するとともに、素早い着脱による安全性が提供される。
【００２８】
尚、ヘッドセットがクレードルに収容された状態では、ヘッドセットに十分な電源が供給され、バッテリを使用する場合に比べてヘッドセットの音声出力を大きくすることができるため、ヘッドセットをクレードルに収容したまま、ヘッドセットのスピーカおよびマイクを利用して卓上型のハンズフリーを行っても良い。
【００２９】
また、請求項６記載の発明は、通話源との無線通信が可能なヘッドセットと、該ヘッドセットに接続可能なクレードルとを備えたハンズフリー装置であって、前記ヘッドセットは、スピーカおよびマイクを備えるとともに長尺形状で形成され、前記クレードルは、スピーカおよびマイクと、前記ヘッドセットを長手方向に起立した状態で収容可能な収容部とを備えたことを特徴とする。
【００３０】
このように、クレードル側にもスピーカとマイクを備えることで、ヘッドセットをクレードルから取り外しても、クレードルに設置しても、通話源とのハンズフリー通話を行うことができるため、例えば運転中に同乗者に聞かれたくない内容の場合には、ヘッドセットを耳に装着してハンズフリー通話を行い、一人で運転中の場合は、ヘッドセット装着の煩わしさを避けて、クレードルに設置したハンズフリー通話を行うことができる。
【００３１】
また、クレードルに設置した場合であっても、通話源との音声信号の交換は、ヘッドセットを介して行われるため、例えば、携帯電話をカバンやポケットに入れたままで、ヘッドセット型とクレードル型の選択的なハンズフリー通話が可能となる。
【発明の効果】
【００３２】
以上説明したように、本発明によれば、ヘッドセットの着脱が容易なハンズフリー通話が可能になる。
【発明を実施するための最良の形態】
【００３３】
以下、本発明の実施形態を添付図面を参照して詳細に説明する。尚、本発明は、以下説明する実施形態に限らず適宜変更可能である。
【００３４】
図１は、本発明の第１の形態に係るハンズフリー装置の構成を示す斜視図である。同図に示すように、本ハンズフリー装置は、携帯電話５０と無線通信可能なワイヤレスヘッドセット１０−１〜１０−４と、これらのヘッドセットが収容可能なクレードル２０とで構成される。ここで、携帯電話５０とクレードルから取り出されたヘッドセット１０−１との間は、ワイヤレスコネクション６０による双方向通信が行われ、通信規格としては音声通信に適したブルートゥースが適用される。
【００３５】
このワイヤレスヘッドセット１０−１およびクレードル２０は、運転中等の携帯電話５０の使用が制約されるシーンで好適に利用される。例えば、同乗者がいる中で通話する場合は、ヘッドセット１０−１を耳に装着して通話し、一人で運転中の場合は、ヘッドセット１０−１をクレードル２０に装着した状態でのハンズフリー通話が可能である。
【００３６】
ここで、携帯電話５０とヘッドセット１０−１との間は無線通信が可能であるため、携帯電話５０をカバンやポケットに入れたままで、ヘッドセット１０−１を耳に装着した状態での通話と、クレードル２０に設置した状態での通話のいずれのハンズフリー通話も行うことができる。
【００３７】
これらヘッドセット１０−１〜１０−４は、長尺状に形成され、クレードル２０には、該各ヘッドセット１０−１〜１０−４を立てた状態で並べて収容することができる。クレードル２０に収容されたヘッドセット１０−２〜１０−４は、充電された状態でユーザの使用を待機することになる。
【００３８】
ここで、本ハンズフリー装置のユーザがヘッドセットを用いて通話を行う場合には、クレードル２０から好みのヘッドセット１０−１を取り外し、このヘッドセット１０−１内に設けられたマイクおよびスピーカを利用して、送話音５００および受話音５０２の入出力を行い、この通話信号をワイヤレスコネクション６０を介して携帯電話５０と交換する。
【００３９】
図２は、図１に示したヘッドセットの構成を示す斜視図である。同図に示すように、ヘッドセット１０は、各種回路を収容したヘッドセット本体１２と、ヘッドセット用スピーカ１６と、ヘッドセット用マイク１８と、髪や着衣への取付が可能なクリップ１７と、クレードルへの接続部となるコネクタ１９とで構成される。尚、スピーカ１６は接着やネジ止め等の周知の固定手法によってクリップ１７に固定される。
【００４０】
ここで、ヘッドセット用マイク１８は、回転可能に構成され、ヘッドセットを装着した際にマイクの位置が調整可能な構造を有する。尚、このマイク１８に蛇腹構造を設けて伸縮および角度調整が自在な構造としても良い。
【００４１】
また、クリップ１７は、長尺かつ平坦な形状で形成された挟持部材１７−１および１７−２の２つの部材の係合により開閉自在に構成され、ヘアクリップのように髪への装着が可能な構造で提供される。このクリップ１７の先端には、コネクタ１９が設けられ、クリップ１７の先端をクレードルへ差し込むことで、充電が開始される構成としておく。
【００４２】
図３は、図１に示したクレードルの構成を示す斜視図である。同図に示すように、クレードル２０は、各種回路を収容したクレードル本体２２と、ヘッドセット１０−１〜１０−４を収容するためのヘッドセット収容部２３−１〜２３−４と、クレードル用マイクロホン２６と、クレードル用スピーカ２８と、車載用シガライタ等の電源と接続可能な電源コード３０とで構成される。
【００４３】
このクレードル２０は、長尺状のヘッドセットが複数収容可能なペン立て構造とすることが望ましく、自動車等の振動体に取付けた際にも安定するようヘッドセット１０−１〜１０−４を立てて並べて配置した場合であっても全体の重心が低くなるような座りの良い構成としておく。
【００４４】
図４は、図１に示したハンズフリー装置におけるクレードルを利用した通話形態を示す斜視図である。同図に示すように、本ハンズフリー装置のユーザがクレードル２０を用いて通話を行う場合には、クレードル２０に設けられたクレードル用マイクロホン２６と、クレードル用スピーカ２８とを介して、送話音５００および受話音５０２の入出力を行い、該クレードル２０に収容されたいずれかのヘッドセットに設けられた無線機能を利用して携帯電話５０との通話を行うことも可能である。
【００４５】
ここで、クレードル２０は、電源コード３０を介して、外部の電源と接続されるため、スピーカ２８から十分な音量を出力することができるとともに、各ヘッドセット１０−１〜１０ー４を同時に充電することも可能である。尚、クレードル２０に設けられたスピーカ２８は、該クレードル２０の両サイドに配置することが望ましい。また、電源コード３０に替えて太陽電池等の電源を使用しても良い。
【００４６】
図５は、ヘッドセットおよびクレードルの内部回路構成を示すブロック図である。同図に示すように、ヘッドセット１０は、携帯電話との無線通信機能を提供するブルートゥース回路１００と、ブルートゥース回路の出力先を切り替えるスイッチＳＷと、ヘッドセットの電力源を提供するバッテリ１０２と、ブルートゥース回路１００から出力された信号に対してノイズキャンセラやイコライザ処理を行う音声処理回路１０４と、音声処理回路に処理された信号を増幅するオーディオアンプ１０６と、ユーザからの音声入力インターフェースとなるマイクロホン１０８と、ユーザに対する音声出力インターフェースとなるスピーカ１１０とで構成される。
【００４７】
クレードル２０は、ＡＣ電源から取得したＡＣ電力をＤＣ電力に変換して、自己の電力源を生成するとともに、ヘッドセットに充電機能を提供するＡＣ／ＤＣコンバータ２００と、ヘッドセット側に設けられたものと同様に機能を提供する音声処理回路２０４と、オーディオアンプ２０６と、マイクロホン２０８と、スピーカ２１０とで構成される。
【００４８】
上記のように構成されるヘッドセット１０がクレードル２０に接続されると、ヘッドセット１０側に設けられたスイッチＳＷがクレードル２０側に切り替えられ、ブルートゥース回路１００からの出力がクレードル側の音声処理回路２０４に入力される。同時に、ヘッドセット側に設けられたバッテリ１０２とクレードル側に設けられたＡＣ／ＤＣコンバータ２００とが接続されてバッテリ１０２の充電が開始される。
【００４９】
一方、ヘッドセット１０がクレードル２０から取り外されると、ヘッドセット１０側に設けられたスイッチＳＷがヘッドセット側に切り替えられ、ブルートゥース回路１００からの出力がヘッドセット側の音声処理回路１０４に入力され、バッテリ駆動によるヘッドセットの単体動作となる。
【００５０】
尚、同図においては、一つのヘッドセットと一つのクレードルとの接続を前提として説明したが、複数のヘッドセットを連結させる場合も同様の回路ブロックを拡張して構成することができる。
【００５１】
図６は、ヘッドセットおよびクレードルの他の回路構成例を示すブロック図である。同図に示すように、音声処理回路１０４とオーディオアンプ１０６とをヘッドセットとクレードルとで共用する構成とし、マイクロホンとスピーカへの出力ラインに切替スイッチＳＷをそれぞれ設けることで、図５と同様の機能を実現させても良い。この場合は、クレードル側に音声処理回路とオーディオアンプが不要になるため、クレードルの簡易化が実現できる。
【００５２】
また、最近のブルートゥースＩＣには、音声処理回路を備えたものも考案されており、このようなＩＣを使用することで、ブルートゥース回路１００と音声処理回路１０４とを一体化した構成を取っても良い。
【００５３】
尚、同図においては、一つのヘッドセットと一つのクレードルとの接続を前提として説明したが、複数のヘッドセットを接続する場合も同様の回路ブロックを拡張して構成することができる。
【００５４】
図７は、図１に示したハンズフリー装置の一使用例を示した斜視図である。同図に示すように、本装置を用いてハンズフリー通話を行う場合には、ヘッドセット１０をクリップ１７を利用して使用者の髪６０２に装着し、耳６００の近くにスピーカ１６を配置するとともに、マイク１８を口元に配置した状態で通話を行う。
【００５５】
図８は、図１に示したハンズフリー装置の変形例を示した斜視図である。同図に示すように、ヘッドセット１０に指向性のマイクを内蔵することで、マイクの位置を決めるアクションが不要になるため、ヘッドセットのより素早い装着が可能になる。
【００５６】
図９は、本発明に係るハンズフリー装置の第２の実施形態を示す斜視図である。同図に示すように、ヘッドセット本体１２のスピーカ１６と反対側に吸盤７１を取り付けて、車内のウィンドウ５５０に着脱する構成としても良い。望ましくは、ヘッドセット１０のマイク１８に蛇腹７２を設け、伸縮および角度調整が自在な構造としておき、ウィンドウ５５０に取り付けた場合であっても、マイクを口元に配置できる構成としておく。
【００５７】
図１０は、本発明に係るハンズフリー装置の別の使用例を示した斜視図である。同図に示すように、ヘッドセット１０を使用者の着衣に設けられた襟やポケットに取り付けた状態で携帯電話５０との無線通話を行う構成としても良い。
【００５８】
図１１は、本発明に係るハンズフリー装置の第３の実施形態を示す斜視図である。同図に示すように、ヘッドセット本体１２にスピーカ１６と内蔵するとともに、マイク１８をクリップ１７に内蔵した構成とすることも可能であり、また、クリップ１７の係合部にスイッチ１５を設け、クリップ１７の開閉動作に応じてヘッドセット本体１２内に設けられた回路の電源のＯＮ／ＯＦＦを制御する構成としても良い。
【００５９】
例えば、ヘッドセット１０の電源がＯＦＦの状態でクリップ１７を開いたときに、ヘッドセット１０の電源をＯＮに制御し、ヘッドセット１０の電源がＯＮの状態でクリップ１７を開いたときにヘッドセット１０の電源をＯＦＦに制御する。その結果、最初にクリップ１７を開いたときにはヘッドセット１０がＯＮになり（図中の「１ｓｔ」）、２回目にクリップ１７を開いたときにはヘッドセット１０がＯＦＦになり（図中の「２ｎｄ」）、以後、同様に、クリップの開閉と電源のＯＮ／ＯＦＦが繰り返される。
【００６０】
図１２は、本発明に係るハンズフリー装置の第４の実施形態を示す斜視図である。同図に示すように、ヘッドセット本体１２にモード切替スイッチ１５を設け、スピーカ１６の出力方向を上下に切り替える構成としても良い。例えば、同図に示すように、受話音５０２−１をクリップ１７と反対方向に出力するモードをＭｏｄｅ１とし、受話音５０２−２をクリップ１７が設けられた側に出力するモードをＭｏｄｅ２とし、スイッチ１５を操作することで、Ｍｏｄｅ１とＭｏｄｅ２とを切り替える構成とする。
【００６１】
このような構成により、例えば、使用者の髪に装着する場合はＭｏｄｅ１に設定し、襟に装着する場合はＭｏｄｅ２に設定することで、スピーカの出力を最適な方向に向けることが可能になる。
【００６２】
図１３は、本発明に係るハンズフリー装置の第５の実施形態を示す斜視図である。同図に示すように、ヘッドセット本体１２とクリップ１７との接続をスライド機構７３を介して行うことで、スピーカの位置を調整することが可能になる。
【００６３】
図１４は、本発明に係るハンズフリー装置の第６の実施形態を示す斜視図である。同図に示すように、スピーカ１６、マイク１８、ヘッドセットを構成する各種回路をクリップ１７に内蔵することで、より携帯性に優れた構造としても良い。
【００６４】
図１５は、本発明に係るハンズフリー装置の第７の実施形態を示す斜視図である。同図に示すように、ヘッドセット１０−１〜１０−４をスピーカ１６およびマイク１８を内蔵したペン型で構成し、クレードル２０に収納可能に構成しても良い。
【００６５】
このとき、ヘッドセット１０−１〜１０−４には、クレードル２０に対する接続用のコネクタ１９をヘッドセット本体１２の先端に設け、装着用のクリップ１７をヘッドセット本体１２がクレードル２０に収容されない部分に設けておくことが望ましい。
【産業上の利用可能性】
【００６６】
本発明によれば、ヘッドセットの素早い装着が可能になるため、安全性が要求される車載用ハンズフリーへの適用が期待される。
【図面の簡単な説明】
【００６７】
【図１】本発明の第１の形態に係るハンズフリー装置の構成を示す斜視図である。
【図２】図１に示したヘッドセットの構成を示す斜視図である。
【図３】図１に示したクレードルの構成を示す斜視図である。
【図４】図１に示したハンズフリー装置におけるクレードルを利用した通話形態を示す斜視図である。
【図５】ヘッドセットおよびクレードルの内部回路構成を示すブロック図である。
【図６】ヘッドセットおよびクレードルの他の回路構成例を示すブロック図である。
【図７】図１に示したハンズフリー装置の一使用例を示した斜視図である。
【図８】図１に示したハンズフリー装置の変形例を示した斜視図である。
【図９】本発明に係るハンズフリー装置の第２の実施形態を示す斜視図である。
【図１０】本発明に係るハンズフリー装置の別の使用例を示した斜視図である。
【図１１】本発明に係るハンズフリー装置の第３の実施形態を示す斜視図である。
【図１２】本発明に係るハンズフリー装置の第４の実施形態を示す斜視図である。
【図１３】本発明に係るハンズフリー装置の第５の実施形態を示す斜視図である。
【図１４】本発明に係るハンズフリー装置の第６の実施形態を示す斜視図である。
【図１５】本発明に係るハンズフリー装置の第７の実施形態を示す斜視図である。
【符号の説明】
【００６８】
１０…ワイヤレスヘッドセット、１２…ヘッドセット本体、１４…アンテナ、１５…スイッチ、１６…ヘッドセット用スピーカ、１７…クリップ部、１８…ヘッドセット用マイク、１９…コネクタ、２０…マルチクレードル、２２…クレードル本体、２３…ヘッドセット収容部、２６…クレードル用マイクロホン、２８…クレードル用スピーカ、３０…電源コード、５０…携帯電話、６０…ワイヤレスコネクション、７１…吸盤、７２…蛇腹、７３…スライド機構、１００…ブルートゥース回路、１０２…バッテリ、１０４…音声処理回路、１０６…オーディオアンプ、１０８…マイクロホン、１１０…スピーカ、２００…ＡＣ／ＤＣコンバータ、２０４…音声処理回路、２０６…オーディオアンプ、２０８…マイクロホン、２１０…スピーカ、５００…送話音、５０２…受話音、５５０…ウィンドウ、６００…耳、６０２…髪、
【図１】
2006121403.tif 000003
【図２】
2006121403.tif 000004
【図３】
2006121403.tif 000005
【図４】
2006121403.tif 000006
【図５】
2006121403.tif 000007
【図６】
2006121403.tif 000008
【図７】
2006121403.tif 000009
【図８】
2006121403.tif 000010
【図９】
2006121403.tif 000011
【図１０】
2006121403.tif 000012
【図１１】
2006121403.tif 000013
【図１２】
2006121403.tif 000014
【図１３】
2006121403.tif 000015
【図１４】
2006121403.tif 000016
【図１５】
2006121403.tif 000017